(57)【要約】【課題】漏水時に漏水箇所の特定が容易でかつ止水性を確保することができる防水構造体を得る。【解決手段】複数の防水鋼板１４Ａ、１４Ｂは、端部同士が重ね合わせられて配置され、防水対象物１２を覆う。防水鋼板１４Ａ、１４Ｂの重ね合わせ部１６に沿って配置された防水シート２４は、隣り合う防水鋼板１４Ａ、１４Ｂの各表面に端部が固着されている。防水鋼板１４Ｂの端部側には第一膨張性シール材２６が設けられており、第一膨張性シール材２６は、防水シート２４によって覆われる範囲に配置され、膨張時に防水シート２４を押上げる。また、防水鋼板１４Ａ、１４Ｂの重ね合わせ部１６において防水鋼板１４Ａ、１４Ｂ同士の間には、第二膨張性シール材２８が配置され、第二膨張性シール材２８は、膨張時に上下の防水鋼板１４Ａ、１４Ｂに圧着される。【選択図】図１
2012012883.tif 000002
【特許請求の範囲】
【請求項１】
端部同士が重ね合わせられて配置され、防水対象物を覆う複数の防水パネルと、
前記防水パネルの重ね合わせ部に沿って配置され、隣り合う一方の防水パネルの表面に一端が固着されると共に隣り合う他方の防水パネルの表面に他端が固着された防水シートと、
前記防水パネルの端部側でかつ前記防水シートによって覆われる範囲に配置され、水との接触により膨張する膨張材を含んで構成されると共に、膨張時に前記防水シートを押上げる第一膨張性シール材と、
前記防水パネルの重ね合わせ部において前記防水パネル同士の間に配置され、水との接触により膨張する膨張材を含んで構成され、膨張時に上下の前記防水パネルに圧着される第二膨張性シール材と、
を有する防水構造体。
【請求項２】
前記防水パネルは、水勾配に沿って配置されると共に、水勾配の上流側の防水パネルにおける端部が、水勾配の下流側の防水パネルにおける端部の上に重ね合わせられて配置されている請求項１記載の防水構造体。
【請求項３】
前記第二膨張性シール材は、前記防水パネルを前記防水対象物に固定するための締結手段を覆う位置を含む位置に配置されている請求項１又は請求項２に記載の防水構造体。
【請求項４】
前記第一膨張性シール材は、前記防水シートと前記防水パネルとの間に配置されている請求項１〜請求項３のいずれか１項に記載の防水構造体。
【請求項５】
前記第一膨張性シール材が間隔をおいて複数配置されている請求項１〜請求項４のいずれか１項に記載の防水構造体。
【発明の詳細な説明】
【技術分野】
【０００１】
本発明は、防水パネル及び防水シートを備えた防水構造体に関する。
【背景技術】
【０００２】
防水構造としては、例えば、建築物の外装、内装或いは設備機器を構成する各種パネル間の目地において、シーリング材とバックアップ材との間に水膨張性シ−ル材が配置される構造がある（例えば、特許文献１参照）。このような構造では、漏水時に水膨張性シ−ル材を膨張させることで、水膨張性シ−ル材と目地側面との隙間の密封化を図ろうとしており、同時にシーリング材を押上げて漏水箇所の発見を容易にしようとしている。
【先行技術文献】
【特許文献】
【０００３】
【特許文献１】特開２００１−２４８２４３公報
【発明の概要】
【発明が解決しようとする課題】
【０００４】
しかしながら、この構造では、所定の硬さを有するシーリング材を水膨張性シ−ル材の膨張時に目地から押上げるのは難しく、水膨張性シ−ル材が反対側のバックアップ材のみを押し出してしまう可能性が高い。また、漏水時にシーリング材を目地から押上げるために膨張率の高い素材を水膨張性シ−ル材に用いた場合には、水膨張性シ−ル材の膨張によって目地の形成部位を大きく変形させてしまい、却って浸水経路を形成しかねない。
【０００５】
本発明は、上記事実を考慮して、漏水時に漏水箇所の特定が容易でかつ止水性を確保することができる防水構造体を得ることが目的である。
【課題を解決するための手段】
【０００６】
請求項１に記載する本発明の防水構造体は、端部同士が重ね合わせられて配置され、防水対象物を覆う複数の防水パネルと、前記防水パネルの重ね合わせ部に沿って配置され、隣り合う一方の防水パネルの表面に一端が固着されると共に隣り合う他方の防水パネルの表面に他端が固着された防水シートと、前記防水パネルの端部側でかつ前記防水シートによって覆われる範囲に配置され、水との接触により膨張する膨張材を含んで構成されると共に、膨張時に前記防水シートを押上げる第一膨張性シール材と、前記防水パネルの重ね合わせ部において前記防水パネル同士の間に配置され、水との接触により膨張する膨張材を含んで構成され、膨張時に上下の前記防水パネルに圧着される第二膨張性シール材と、を有する。
【０００７】
請求項１に記載する本発明の防水構造体によれば、複数の防水パネルは、端部同士が重ね合わせられて配置され、防水対象物を覆う。防水パネルの重ね合わせ部に沿って配置された防水シートは、隣り合う一方の防水パネルの表面に一端が固着されると共に隣り合う他方の防水パネルの表面に他端が固着されている。このため、防水シートによって防水パネル間からの水の浸入が抑えられる。
【０００８】
ここで、防水パネルの端部側に設けられた第一膨張性シール材は、防水シートによって覆われる範囲に配置され、水との接触により膨張する膨張材を含んで構成されると共に、膨張時に防水シートを押上げる。このため、防水シートが切れて防水シートに降り注いだ雨水等の水が漏水した場合には、浸入した水に接触した第一膨張性シール材が膨張して防水シートを押上げ、押上げられた防水シートが膨らむ。従って、外部から防水シートの膨らみが目視にて容易に確認可能となり、漏水箇所の特定が容易になる。
【０００９】
また、防水パネルの重ね合わせ部において防水パネル同士の間には第二膨張性シール材が配置され、当該第二膨張性シール材は、水との接触により膨張する膨張材を含んで構成され、膨張時に上下の防水パネルに圧着される。このため、防水パネル同士の間に水が浸入した場合には、浸入した水に接触した第二膨張性シール材が膨張して上下の防水パネルに圧着されるので、防水パネル同士の間から防水対象物側への水の浸入が阻止される。
【００１０】
請求項２に記載する本発明の防水構造体は、請求項１記載の構成において、前記防水パネルは、水勾配に沿って配置されると共に、水勾配の上流側の防水パネルにおける端部が、水勾配の下流側の防水パネルにおける端部の上に重ね合わせられて配置されている。
【００１１】
請求項２に記載する本発明の防水構造体によれば、防水パネル同士の間に水が浸入して第二膨張性シール材が膨張し、その表面側に位置する水勾配の上流側の防水パネルにおける端部が第二膨張性シール材の膨張によって押上げられた場合、水勾配の上流側の防水パネルは水勾配の上流側が低くなるように傾斜する。よって、水勾配の上流側の水が防水パネル同士の間に流れ込むのを抑えられる。
【００１２】
請求項３に記載する本発明の防水構造体は、請求項１又は請求項２に記載の構成において、前記第二膨張性シール材は、前記防水パネルを前記防水対象物に固定するための締結手段を覆う位置を含む位置に配置されている。
【００１３】
請求項３に記載する本発明の防水構造体によれば、締結孔からの水の浸入が効果的に抑えられる。
【００１４】
請求項４に記載する本発明の防水構造体は、請求項１〜請求項３のいずれか１項に記載の構成において、前記第一膨張性シール材は、前記防水シートと前記防水パネルとの間に配置されている。
【００１５】
請求項４に記載する本発明の防水構造体によれば、防水シートが切れて水が浸入した場合、第一膨張性シール材は、水に接触して膨張し、その表面側に位置する防水シートを押上げて膨らませる。このため、漏水箇所の特定がさらに容易になる。
【００１６】
請求項５に記載する本発明の防水構造体は、請求項１〜請求項４のいずれか１項に記載の構成において、前記第一膨張性シール材が間隔をおいて複数配置されている。
【００１７】
請求項５に記載する本発明の防水構造体によれば、複数箇所で漏水があった場合、複数箇所で第一膨張性シール材が膨張し、それらの第一膨張性シール材は、防水シートを押上げて膨らませる。このため、複数箇所において漏水箇所の特定が容易になる。
【発明の効果】
【００１８】
以上説明したように、本発明に係る請求項１に記載の防水構造体によれば、漏水時に漏水箇所の特定が容易でかつ止水性を確保することができるという優れた効果を有する。
【００１９】
請求項２に記載の防水構造体によれば、水勾配の上流側の水が防水パネル同士の間に流れ込むのを抑えることができるという優れた効果を有する。
【００２０】
請求項３に記載の防水構造体によれば、締結孔からの水の浸入を効果的に抑えることができるという優れた効果を有する。
【００２１】
請求項４に記載の防水構造体によれば、漏水箇所の特定をより一層容易にすることができるという優れた効果を有する。
【００２２】
請求項５に記載の防水構造体によれば、複数箇所の漏水の特定を容易にすることができるという優れた効果を有する。
【図面の簡単な説明】
【００２３】
【図１】本発明の第１の実施形態に係る防水構造体を示す断面図である。
【図２】本発明の第１の実施形態に係る防水構造体を示す分解斜視図である。
【図３】本発明の第１の実施形態の作用を説明するための説明図である。図３（Ａ）は、第一膨張性シール材が膨張した状態を示す断面図である。図３（Ｂ）は、図３（Ａ）の状態からさらに第二膨張性シール材が膨張した状態を示す断面図である。
【図４】本発明の第２の実施形態に係る防水構造体を示す平面図である。
【図５】本発明の第３の実施形態に係る防水構造体を示す断面図である。
【図６】本発明の第３の実施形態に係り、第一膨張性シール材が膨張した状態を示す断面図である。
【図７】参考例に係る防水構造体を示す断面図である。
【図８】参考例に係り、膨張性シール材が膨張した状態を示す断面図である。
【発明を実施するための形態】
【００２４】
［第１実施形態］
本発明の第１の実施形態に係る防水構造体について図１〜図３を用いて説明する。
【００２５】
図１には、本発明の第１の実施形態に係る防水構造体１０が断面図にて示され、図２には、防水構造体１０が分解斜視図にて示されている。図１に示されるように、防水構造体１０は、防水対象物１２上に配設されている。なお、防水対象物１２は、例えば建物の屋上（屋根）もしくはバルコニー等に配置される断熱材や床板等である。
【００２６】
図１及び図２に示されるように、防水構造体１０は、防水対象物１２を覆う複数の防水パネルとしての防水鋼板１４Ａ、１４Ｂを備えている。なお、図中では、防水鋼板１４Ａ、１４Ｂが二枚図示されているが、枚数がこれに限定されるものではないことは言うまでもない。また、防水鋼板１４Ａ、１４Ｂは、本実施形態では塩化ビニル系樹脂をコーティングした塗装鋼板（所謂、塩ビ鋼板）とされている。
【００２７】
図１に示されるように、複数の防水鋼板１４Ａ、１４Ｂは、端部同士が重ね合わせられて配置されている。より具体的には、防水鋼板１４Ａ、１４Ｂは、水勾配に沿って配置されると共に、水勾配の上流側（図１では右側）の防水鋼板１４Ａにおける端部が、水勾配の下流側（図１の左側）の防水鋼板１４Ｂにおける端部の上に重ね合わせられて配置されている。
【００２８】
防水鋼板１４Ａ、１４Ｂの重ね合わせ部１６において、下側に配置された防水鋼板１４Ｂの端部には、上側が開口した断面矩形状の溝部１８が形成されている。溝部１８は、長尺状とされて防水鋼板１４Ｂの端末まで延びている（図２参照）。この溝部１８には、防水鋼板１４Ｂを防水対象物１２に固定するための締結手段としてのビス２２が溝部１８の延在方向に所定間隔をおいて配置されている。なお、締結手段はビス２２に代えてボルト等であってもよい。ビス２２は、溝部１８の底部を貫通して防水対象物１２の取付部側に螺合されている。
【００２９】
また、防水鋼板１４Ａ、１４Ｂの重ね合わせ部１６（換言すればジョイント部分）に沿って（図１の紙面直角な方向に沿って）帯状の防水シート２４（増し張りシート、防水層）が配置されている。防水シート２４は、隣り合う一方の防水鋼板１４Ａの表面に一端２４Ａ（幅方向一方の端部）が接着により固着されると共に、隣り合う他方の防水鋼板１４Ｂの表面に他端２４Ｂ（幅方向他方の端部）が接着により固着されている。防水シート２４は、その材質としては塩化ビニル系樹脂シート等が適用可能である。
【００３０】
防水鋼板１４Ａ、１４Ｂの重ね合わせ部１６において、下側に配置された防水鋼板１４Ｂの端部側には、第一膨張性シール材２６が設けられて防水シート２４によって覆われる範囲に配置されている。本実施形態では、第一膨張性シール材２６は、重ね合わせ部１６で上側に配置された防水鋼板１４Ａによっては覆われておらず、防水シート２４と防水鋼板１４Ｂとの間に配置されており、防水シート２４を押圧可能な位置に設定されている。第一膨張性シール材２６は、防水鋼板１４Ａと防水鋼板１４Ｂとの段差部２５に沿って（図１の紙面直角な方向に沿って）延在しており、水との接触により膨張する膨張材、例えば、高分子吸収体や吸収性ポリマー等を含んで構成され、膨張時に防水シート２４を押上げるようになっている。
【００３１】
また、防水鋼板１４Ａ、１４Ｂの重ね合わせ部１６において防水鋼板１４Ａ、１４Ｂ同士の間には、第二膨張性シール材２８が配置されている。第二膨張性シール材２８は、防水鋼板１４Ｂの溝部１８内に設けられてビス２２を覆う位置を含む位置に配置され、溝部１８に沿って延在している。第二膨張性シール材２８は、水との接触により膨張する膨張材、例えば、高分子吸収体や吸収性ポリマー等を含んで構成され、膨張時に上下の防水鋼板１４Ａ、１４Ｂに圧着されるようになっている。ここで、第二膨張性シール材２８には、第一膨張性シール材２６に比べて発泡倍率（膨張率）が低い素材が適用されている。
【００３２】
（作用・効果）
次に、上記実施形態の作用及び効果について説明する。
【００３３】
図１に示される状態は、防水シート２４に破損が生じていない状態である。この状態では、雨水等は、防水鋼板１４Ａ、１４Ｂ及び防水シート２４によって止水（一次止水）される。この状態から、経年劣化又は防水シート２４に何らかの負荷がかかる等により、防水シート２４に想像線で示す破損箇所２０が生じると、当該破損箇所２０から雨水等が浸入する。なお、防水鋼板１４Ａ、１４Ｂが破損することは通常考えられないので、防水構造体１０で漏水の可能性がある部分は、ジョイント部分に設けられた防水シート２４の部分である。
【００３４】
図３（Ａ）に示されるように、破損箇所２０から雨水等が第一膨張性シール材２６に接触して吸収されると、第一膨張性シール材２６が膨張してその表面側となる防水シート２４の破損箇所周囲部２４Ｃが押上げられて膨らむ。ここで、第一膨張性シール材２６には、第二膨張性シール材２８に比べて発泡倍率（膨張率）が高い素材が適用されており、防水シート２４の破損箇所周囲部２４Ｃを十分に膨らませることができる。従って、外部から防水シート２４の破損箇所周囲部２４Ｃの膨らみが目視にて容易に確認される。また、防水シート２４が膨らんだ箇所、即ち破損箇所周囲部２４Ｃが漏水箇所そのものであるので、漏水箇所の特定も容易である。すなわち、本実施形態の防水構造体１０は、自ら漏水のアラート機能（明示機能）を備えているといえる。
【００３５】
また、第一膨張性シール材２６は、膨張によって防水層を形成して雨水等を止水（二次止水）することにもなるが、浸水が進行して防水鋼板１４Ａ、１４Ｂ同士の間に雨水等が浸入した場合には、図３（Ｂ）に示されるように、雨水等が第二膨張性シール材２８に接触して吸収される。これによって、第二膨張性シール材２８が膨張すると、第二膨張性シール材２８は、上下の防水鋼板１４Ａ、１４Ｂに圧着されるので、防水鋼板１４Ａ、１４Ｂ同士の間が止水（三次止水）され、防水鋼板１４Ａ、１４Ｂ同士の間から防水対象物１２側への雨水等の浸入が阻止される（止水機能の発揮）。ここで、第二膨張性シール材２８には、第一膨張性シール材２６に比べて発泡倍率（膨張率）が低い素材が適用されているので、防水鋼板１４Ａは過度に持ち上げられずに済む。
【００３６】
また、本実施形態に係る防水構造体１０では、防水鋼板１４Ａ、１４Ｂは、水勾配に沿って配置されると共に、水勾配の上流側の防水鋼板１４Ａにおける端部が、水勾配の下流側の防水鋼板１４Ｂにおける端部の上に重ね合わせられて配置されている。このため、防水鋼板１４Ａ、１４Ｂ同士の間に雨水等が浸入して第二膨張性シール材２８が膨張し、その表面側に位置する水勾配の上流側の防水鋼板１４Ａにおける端部が第二膨張性シール材２８の膨張によって押上げられた場合、防水鋼板１４Ａは水勾配の上流側が低くなるように傾斜する。よって、水勾配の上流側の雨水等が防水鋼板１４Ａ、１４Ｂ同士の間に流れ込むのを抑えることができ、漏水による被害を抑制できる。
【００３７】
また、本実施形態に係る防水構造体１０では、第二膨張性シール材２８は、防水鋼板１４Ａ、１４Ｂを防水対象物１２に固定するためのビス２２を覆う位置を含む位置に配置されている。このため、ビス孔１８Ａ（締結孔）からの雨水等の浸入が効果的に抑えられる。
【００３８】
以上説明したように、本実施形態に係る防水構造体１０によれば、漏水時に漏水箇所の特定が容易でかつ止水性を確保することができる。また、本実施形態では、漏水箇所を明示する目視優先箇所に第一膨張性シール材２６を配置すると共に、止水優先箇所に第二膨張性シール材２８を配置する構成にすることで、第一膨張性シール材２６及び第二膨張性シール材２８には、それぞれ必要とされる機能に応じた素材を選択することができるので、機能の充実を容易に図ることができる。
【００３９】
また、図３（Ａ）に示される第一膨張性シール材２６が膨張した状態でかつ第二膨張性シール材２８が膨張していない状態で、メンテナンスすれば、第一膨張性シール材２６及び防水シート２４を交換するだけで済むので、メンテナンス性が良い。
【００４０】
［第２実施形態］
次に、本発明の第２の実施形態に係る防水構造体３０について、図４を用いて説明する。なお、第２の実施形態は、以下に説明する点を除いて第１の実施形態と同様の構造となっている。よって、第１の実施形態と実質的に同様の構成部については、同一符号を付して説明を省略する。
【００４１】
図４には、本発明の第２の実施形態に係る防水構造体３０が平面図にて示されている。この図に示されるように、防水構造体３０は、防水鋼板１４Ａと防水鋼板１４Ｂとの段差部２５に沿って第一膨張性シール材３２が間隔をおいて複数配置されている。これらの第一膨張性シール材３２は、間隔をおいて配置されている点を除いて、第１の実施形態における第一膨張性シール材２６（図１参照）と同様の構成とされている。
【００４２】
すなわち、第一膨張性シール材３２は、防水鋼板１４Ｂの端部側でかつ防水シート２４によって覆われる範囲において、防水シート２４と防水鋼板１４Ｂとの間に配置されており、防水シート２４を押圧可能な位置に設定されている。第一膨張性シール材３２は、水との接触により膨張する膨張材、例えば、高分子吸収体や吸収性ポリマー等を含んで構成されると共に、膨張時に防水シート２４を押上げるように設定されている。
【００４３】
本実施形態によれば、漏水時に止水しながら漏水箇所を容易に特定することができ、複数箇所で漏水があった場合には、複数箇所で第一膨張性シール材３２がそれぞれ膨張して防水シート２４を膨らませることができる。
【００４４】
なお、本実施形態では、第一膨張性シール材３２同士の間が空間となっているが、第一膨張性シール材３２同士の間に別途隙詰め部材を配設するような構成としてもよい。
【００４５】
［第３実施形態］
次に、本発明の第３の実施形態に係る防水構造体４０について、図５及び図６を用いて説明する。図５には、本発明の第３の実施形態に係る防水構造体４０が断面図にて示され、図６には、防水構造体４０の防水シート２４が切れて水が浸入した状態が断面図にて示されている。
【００４６】
これらの図に示されるように、防水構造体４０は、防水パネルとしての防水鋼板１４Ｃに第２の溝部４２が形成され、この溝部４２内に第一膨張性シール材４４及び止水ピース４６が配設されている点で、第１の実施形態に係る防水構造体１０（図１参照）とは異なる。他の構成は、第１の実施形態とほぼ同様の構成となっている。よって、第１の実施形態と実質的に同様の構成部については、同一符号を付して説明を省略する。
【００４７】
図５に示されるように、防水鋼板１４Ｃは、溝部４２が形成されている点を除いて第１の実施形態における防水鋼板１４Ｂ（図１参照）と同様の構成でかつ同様の位置に配置されている。防水鋼板１４Ｃに形成された溝部４２は、溝部１８に対して防水鋼板１４Ｃの端末側（図中右端側）とは反対側に隣接して設けられ、平面視で溝部１８と平行に延在している。溝部４２の開口幅は溝部１８の開口幅に比べて大きく設定されており、溝部４２における溝部１８側の開口は、防水鋼板１４Ａによって一部塞がれている。また、溝部４２における溝部１８側の側壁４２Ａは、下方側は向けて溝部１８側とは反対側に傾斜している。
【００４８】
溝部４２の底壁４２Ｂにおける側壁４２Ａ側の部位、及び側壁４２Ａ上には、合成ゴム製の止水ピース４６が配置されている。止水ピース４６は、底壁４２Ｂ上に配置される部位が厚く、側壁４２Ａ上に配置される側が先端側に至るに従って薄くなるように形成されており、上面が防水シート２４及び防水鋼板１４Ａに接すると共に、下面が底壁４２Ｂ及び側壁４２Ａに接している。換言すれば、止水ピース４６の先端側は、防水鋼板１４Ａと溝部４２の側壁４２Ａとの間に差し込まれている。
【００４９】
また、止水ピース４６における底壁４２Ｂ上に配置される部位の側面は、第一膨張性シール材４４に接している。第一膨張性シール材４４は、防水シート２４と防水鋼板１４Ｃの溝部４２の底壁４２Ｂとの間に挟まれように配置されることで、防水シート２４を押圧可能な位置に設定されると共に、止水ピース４６側とは反対側の側面が溝部４２の側壁４２Ｃに接している。第一膨張性シール材４４は、配置位置及び上下方向の厚さが厚い点を除いて、第１の実施形態における第一膨張性シール材２６（図１参照）と同様の構成とされている。すなわち、第一膨張性シール材４４は、防水鋼板１４Ｃの端部側でかつ防水シート２４によって覆われる範囲に配置されて第二膨張性シール材２８と平行に延在し、水との接触により膨張する膨張材を含んで構成されると共に、膨張時に防水シート２４を押上げるようになっている。
【００５０】
なお、本実施形態では、第一膨張性シール材４４が第二膨張性シール材２８と平行に延在しているが、第一膨張性シール材４４に代えて、第２の実施形態（図４参照）と同様に、第二膨張性シール材２８と平行な方向に沿って間隔をおいて配置された複数の第一膨張性シール材を設けてもよい。
【００５１】
（作用・効果）
本実施形態によれば、防水シート２４に想像線で示す破損箇所２０が生じた場合には、第１の実施形態と同様の作用により、図６に示されるように、第一膨張性シール材４４が膨張してその表面側となる防水シート２４の破損箇所周囲部２４Ｃが押上げられて膨らむ。また、第一膨張性シール材４４が膨張すると、止水ピース４６が第一膨張性シール材４４によって側壁４２Ａ側（矢印Ａ方向）へ押圧される。これによって、止水ピース４６と防水鋼板１４Ａ側との隙間、及び止水ピース４６と側壁４２Ａ側との隙間が密閉化され、溝部１８側へ流れ込もうとする雨水等が止水（二次止水）される。また、溝部４２は側壁４２Ａが傾斜しているため、溝部４２に侵入した雨水等は、溝部１８側へよりも底壁４２Ｂ側、換言すれば第一膨張性シール材４４側へ流れ易い。
【００５２】
なお、浸水が進行して防水鋼板１４Ａ、１４Ｃ同士の間に雨水等が浸入した場合には、第１の実施形態と同様に、第二膨張性シール材２８によって雨水等が止水（三次止水）される。
【００５３】
以上説明したように、本実施形態の構成によっても、漏水時に漏水箇所の特定が容易でかつ止水性を確保することができる。
【００５４】
なお、本発明の実施形態ではなく参考例として、例えば、第３の実施形態における防水鋼板１４Ｃの溝部１８に代えて平坦部が形成されると共に第二膨張性シール材２８が配設されないような構成も採り得る。
【００５５】
［第４実施形態］
次に、第４の実施形態について、図７及び図８を用いて説明する。第４の実施形態は、本発明の実施形態ではなく参考例である。なお、第１の実施形態と実質的に同様の構成部については、同一符号を付して説明を省略する。
【００５６】
図７に示されるように、防水鋼板１４Ａ、１４Ｂの重ね合わせ部１６において防水鋼板１４Ａ、１４Ｂ同士の間には、膨張性シール材５０が配置されている。膨張性シール材５０は、防水鋼板１４Ｂの溝部１８内に設けられてビス２２を覆う位置を含む位置に配置されている。膨張性シール材５０は、水との接触により膨張する膨張材、例えば、高分子吸収体や吸収性ポリマー等を含んで構成されている。膨張性シール材５０は、第１、第３の実施形態における第二膨張性シール材２８（図１、図５等参照）に比べて膨張率が高い膨張材が用いられている。
【００５７】
本実施形態によれば、防水シート２４に想像線で示す破損箇所２０が生じた場合には、図８に示されるように、膨張性シール材５０が膨張してその表面側となる防水鋼板１４Ａに強く押し付けられて圧着される。これによって、防水層が形成されつつ、防水鋼板１４Ａ及び防水シート２４が押上げられ、防水シート２４の表面の段差が大きくなる。すなわち、漏水時の止水がなされながら漏水箇所の特定が可能となる。
【００５８】
［実施形態の補足説明］
なお、上記実施形態では、図１等に示される防水鋼板１４Ａ、１４Ｂ、１４Ｃは、水勾配に沿って配置されると共に、水勾配の上流側の防水鋼板１４Ａにおける端部が、水勾配の下流側の防水鋼板１４Ｂ、１４Ｃにおける端部の上に重ね合わせられて配置されており、水勾配の上流側の水が防水鋼板１４Ａ、１４Ｂ、１４Ｃ同士の間に流れ込むのを抑える観点からはこのような構成がより好ましいが、防水パネルは、水勾配に沿って配置されたものでなくてもよいし、水勾配の下流側の防水パネルにおける端部が、水勾配の上流側の防水パネルにおける端部の上に重ね合わせられて配置されてもよい。
【００５９】
また、上記第１〜第３の実施形態では、第二膨張性シール材２８は、防水対象物１２に固定するためのビス２２を覆う位置を含む位置に配置されており、ビス孔１８Ａからの水の浸入を効果的に抑える観点からはこのような構成がより好ましいが、第二膨張性シール材の配置位置は、防水対象物に固定するための締結手段を覆う位置を含んでいなくてもよい。
【００６０】
また、上記第１〜第３の実施形態では、第一膨張性シール材２６、３２、４４は、防水シート２４と防水鋼板１４Ａ、１４Ｃとの間に配置されており、このような構成が防水シート２４をより効率的に押上げる観点からは好ましいが、第一膨張性シール材は、例えば、防水パネルの端部側でかつ防水シートによって覆われる範囲であって上下の防水パネル同士の間に配置され、かつ防水シートの下面に臨む中空部に通じる位置に設定されてもよい。
【００６１】
さらに、上記第１〜第３の実施形態では、第一膨張性シール材２６、３２、４４は、膨張材が水との接触により膨張するようになっているが、第一膨張性シール材は、この膨張材に加えて、水との接触により硬化する硬化材を含んでいてもよい。硬化材としては、セメントや水硬化性ポリウレタン樹脂等が適用可能である。この場合、漏水時には硬化材も水と反応することになるので、破損箇所２０に対応した第一膨張性シール材２６、３２、４４は膨らんだ状態のまま硬くなる。このため、破損箇所２０に対応した第一膨張性シール材２６、３２、４４が膨らんだ状態を、その状態のまま保全することができる。
【符号の説明】
【００６２】
１０    防水構造体
１２    防水対象物
１４Ａ  防水鋼板（防水パネル）
１４Ｂ  防水鋼板（防水パネル）
１４Ｃ  防水鋼板（防水パネル）
１６    重ね合わせ部
２２    ビス（締結手段）
２４    防水シート
２６    第一膨張性シール材
２８    第二膨張性シール材
３０    防水構造体
３２    第一膨張性シール材
４０    防水構造体
４４    第一膨張性シール材
【図１】
2012012883.tif 000003
【図２】
2012012883.tif 000004
【図３】
2012012883.tif 000005
【図４】
2012012883.tif 000006
【図５】
2012012883.tif 000007
【図６】
2012012883.tif 000008
【図７】
2012012883.tif 000009
【図８】
2012012883.tif 000010